(57)【要約】【課題】この発明は、最小限の設置スペースを実現したうえで、簡便にして容易な保守点検作業を実現し得るようにすることにある。【解決手段】第１及び第２の軸１３１，１３２が略平行に配された軸部１３の第１の軸１３１を取付け具１０に回動自在に配し、この取付け具１０上に取付け配置されるコール機器ユニット１２に、該コール機器ユニット１２を取付け具１０上に配する第１の位置、及び該第１の位置から略垂直方向に略平行に移動されて取付け具１０から略平行に離間された回動可能な第２の位置間に移動案内自在に支持する案内部１４３を設けられた台座１４を配し、この台座１４の案内部１４３に対して上記軸部１３の第２の軸１３２を移動案内自在に組付けるように構成した。【選択図】    図１
2004267443.tif 000002
【特許請求の範囲】
【請求項１】
設置部に取り付けられる取付け具と、
この取付け具上に取付け配置されるコール機器ユニットと、
第１及び第２の軸が略平行に配され、前記第１の軸が前記取付け具あるいは前記機器ユニットの一方に回動自在に軸支される軸部と、
前記コール機器ユニットあるいは前記取付け具の他方に配されるものであって、前記軸部の第２の軸を、前記コール機器ユニットが前記取付け具上に組付け配置される第１の位置、及び前記第１の位置から略垂直方向に略平行に移動されて前記取付け具から回動されて組付け面が露出される第２の位置間に移動案内自在に支持する案内部が設けられた台座と
を具備したことを特徴とするナースコール装置。
【請求項２】
前記台座は、前記コール機器ユニットあるいは前記取付け具の他方に着脱自在に配されることを特徴とする請求項１記載のナースコール装置。
【請求項３】
前記台座の案内部は、前記軸部の第２の軸の司る第１の位置と第２の位置に対応して傾斜されて形成されることを特徴とする請求項１又は２記載のナースコール装置。
【請求項４】
前記台座の案内部には、前記軸部の第２の軸を第２の位置に回動自在に軸支する弾性軸支部が設けられることを特徴とする請求項１乃至３のいずれか記載のナースコール装置。
【発明の詳細な説明】
【０００１】
【発明の属する技術分野】
この発明は、例えば入院患者等の被介護人が看護師を呼んだりするのに用いられるナースコール装置に関する。
【０００２】
【従来の技術】
一般に、ナースコール装置においては、例えばナースコール親機を構成する選局ユニットや操作ユニット等のコール機器ユニットが多数配備されるために、設置スペースを考慮すると、ユニット相互間を、隙間無く接近配置することが要求される。
【０００３】
そこで、このようなナースコール装置にあっては、例えばナースステーションの壁面等に対して取付金具を構成するシャーシを螺子部材等を用いて取付けられる。このシャーシには、複数の鈎部が、ユニット配置位置に設けられ、この鈎部を利用して複数のコール機器ユニットが、それぞれ前面側から着脱自在に取り付けられる（例えば、特開２００２―２９０５３０号参照。）。これにより、ナースコール装置は、そのコール機器ユニットを隙間が殆ど無く接近させて配することにより、設置スペースの省スペース化が図られている。
【０００４】
そして、上記ナースコール装置は、例えば内部機器の保守点検等を行う場合、コール機器ユニットをシャーシから取り外し、その後、コール機器ユニットの側面に設けた嵌合穴をシャーシの鈎部に引っ掛けて機器内部が点検可能に取付け直して実行される。
【０００５】
ところが、上記ナースコール装置では、シャーシを壁等に取付配置した状態で、シャーシの前面より、コール機器ユニットを着脱する構成のために、最小限の設置スペースが実現されるものの、例えばコール機器ユニットの保守点検を行う場合、コール機器ユニットを、一旦、シャーシから取り外して、再び、調整可能に取付け直して行わなければならないことで、その作業が非常に面倒であるという不都合を有する。
【０００６】
【特許文献１】
特開２００２―２９０５３０号公報
【０００７】
【発明が解決しようとする課題】
以上述べたように、従来のナースコール装置では、そのコール機器ユニットの保守点検作業が非常に面倒であるという不都合を有する。
【０００８】
この発明は上記の事情に鑑みてなされたもので、最小限の設置スペースを実現したうえで、簡便にして容易な保守点検作業を実現し得るようにしたナースコール装置を提供することを目的とする。
【０００９】
【課題を解決するための手段】
この発明は、設置部に取り付けられる取付け具と、この取付け具上に取付け配置されるコール機器ユニットと、第１及び第２の軸が略平行に配され、前記第１の軸が前記取付け具あるいは前記コール機器ユニットの一方に回動自在に軸支される軸部と、前記コール機器ユニットあるいは前記取付け具の他方に配されるものであって、前記軸部の第２の軸を、前記コール機器ユニットが前記取付け具上に組付け配置される第１の位置、及び前記第１の位置から略垂直方向に略平行に移動されて前記取付け具から回動されて組付け面が露出される第２の位置間に移動案内自在に支持する案内部が設けられた台座とを備えてナースコール装置を構成した。
【００１０】
上記構成によれば、コール機器ユニットは、軸部の第２の軸が台座の案内部の第１の位置に移動案内されると、取付け具上に組付け配置され、該第２の軸が案内部の第２の位置に移動案内されると、取付け具に対して略垂直方向に略平行に移動されて迫り出され、この第２の位置において、軸部の第２の軸回りに回動されると、取付け具上よりはみ出すことなく、回動式に組付け面より調整が可能に開かれる。
【００１１】
従って、複数のコール機器ユニットの設置を、最小限の設置スペースを実現したうえで、その保守点検作業を含む組立て作業等の利便性の向上を図ることが可能となる。
【００１２】
また、この発明は、前記台座を、前記コール機器ユニットに着脱自在に設けるように構成した。これによれば、コール機器ユニットの取付け具への組立てを、台座をコール機器ユニットに取付けて、軸部の第１の軸を取付け具に取付けだけで、簡便にして容易に行うことができ、組立て作業の簡略化の促進を図ることが可能となる。
【００１３】
【発明の実施の形態】
以下、この発明の実施の形態について、図面を参照して詳細に説明する。
【００１４】
図１は、この発明の一実施の形態に係るナースコール装置を示すもので、取付け具１０は、例えば金属材料で形成され、壁面等の設置部１１に複数個、例えば３個が略隙間無く並設されて取付け配置される。そして、この取付け具１０上には、例えばボード型親機を構成する操作ユニット及び選局ユニット等のコール機器ユニット１２がそれぞれ略同様に詳細を後述する軸部１３及び台座１４を介して回動式に開閉自在に取付け配置される。但し、図１においては、図の都合上、一つのコール機器ユニットの配置構成についてのみを図示。
【００１５】
即ち、取付け具１０には、図２に示すように一対の軸支部１０１が所定の間隔に設けられ、この軸支部１０１には、例えばステンレス鋼等の金属材料製の軸部１３の第１の軸１３１が回動自在に軸支される。軸部１３は、例えば図３に示すように曲げ加工等により弾性変形自在な略コ字状に形成され、その中間部を第２の軸１３２として、その両端に軸分離構造の上記第１の軸１０１がそれぞれ上記第２の軸１３２に対して略平行に延出されて形成される。
【００１６】
一方、上記コール機器ユニット１２には、その取付け具対向面に、例えばＡＢＳ樹脂等の樹脂材料製の台座１４が、固定部材１５を介して着脱自在に取付けられる。この台座１４は、例えば図４及び図５に示すように樹脂成形され、その底面の両端には、挿入部１４１及び弾性係止爪部１４２が設けられる。
【００１７】
一方、上記固定部材には、第１及び第２の挿入溝部１５１，１５２が、上記台座の挿入部１４１及び弾性係止爪部１４２に対応して設けられる。この固定部材１５は、例えば２個が上記コール機器ユニット１２の裏面（取付け具対向面）に台座１４の幅寸法に対応して所定の間隔に取付け配置される。そして、この固定部材１５は、その第１の挿入溝部１５１に対して、上記台座１４の両端の挿入部１４１が一方から挿入されて、その第２の挿入溝部１５２が台座１４の弾性係止爪部１４２が挿入され、所定の位置まで挿入されると、該台座１４の弾性係止爪部１４２が第２の挿入溝部１５２に設けられた係合孔１５３に弾性係合される。これにより、台座１４は、コール機器ユニット１２の裏面に固定部材１５を着脱自在に取付けられる。
【００１８】
なお、上記固定部材１５は、第１及び第２の挿入溝部１５１，１５２を連結した一体構造に形成するように構成したが、例えばこれら第１及び第２の挿入溝部１５１、１５２を分離形成して、ナース機器ユニット１２に対して所定の間隔に分離して取付け配置するように構成してもよい。
【００１９】
上記台座１４には、所定の間隔に、例えば長孔構造の一対の案内部１４３が、底面（取付面）側より取付け具方向に所定の傾斜角を有して形成される。この案内部１４３は、台座１４が後述するようにコール機器ユニット１２に取付けられた状態において、その傾斜方向が、コール機器ユニット１２の中央部位から端部方向に突出される。そして、この台座１４の案内部１４３には、上記軸部１３の第２の軸１３２が移動案内自在に収容される。
【００２０】
台座１４の案内部１４３は、上記軸部１３の第２の軸１３２を、最も底面方向の第１の位置に移動案内した状態で、上記コール機器ユニット１２を取付け具１０上の取付け位置に案内する。そして、案内部１４３は、上記軸部１３の第２の軸１３２を、上記第１の位置と逆の最も取付け具方向となる第２の位置に移動させた状態で、上記コール機器ユニット１２を、取付け具１０上の取付け位置より略垂直方向に略平行に移動案内する。
【００２１】
また、台座１４には、その案内部１４３間に、弾性軸支部１４４が、上記第２の位置に対応して設けられる。この弾性軸支部１４４は、軸部１３の第２の軸１３２が案内部１４３の第２の位置に移動された状態で、その弾性変形して該第２の軸１３２を回動自在に軸支し、軸部１３の第２の軸１３２が第２の位置から第１の位置に移動付勢されると、再び弾性変形して該第２の軸１３２を移動可能に解放する。
【００２２】
上記構成において、コール機器ユニット１２を、壁面等の所望の設置部１１に、取付け配置する場合には、先ず、設置ユニット数に応じた複数個の取付け具１０がアンカーボルト等の固定具を用いて略隙間無く並設して取付けられる。そして、この取付け具１０には、その軸支部１０１に対して軸部１３の第１の軸１３１が、その弾性を利用して軸支されて該第１の軸１３１回りが回動自在に組付けられる。また、この軸部１３は、その第２の軸１３２が、台座１４の案内部１４３に対して移動案内自在に組付けられている。
【００２３】
上記台座１４は、その底面がコール機器ユニット１２の取付け具対向面に対向されて、その挿入部１４１及び弾性係止爪部１４２が、固定部材１５の第１及び第２の挿入溝部１５１，１５２に挿入され、その弾性係止爪部１４２が、弾性を利用して第２の挿入溝部１５２の係合孔１５３に弾性係合され、コール機器ユニット１２に取付けられる。
【００２４】
ここで、コール機器ユニット１２は、取付け具１０に台座１４及び軸部１３を介して回動式に開閉自在に組付けられる。これにより、コール機器ユニット１２は、台座１４の案内部１４３に収容された軸部１３の第２の軸１３２を、該案内部１４３の第１の位置に移動させると、台座１４及び軸部１３を介して取付け具１０上に配される（図１参照）。ここで、コール機器ユニット１２は、図示しないロック機構が操作されて取付け具１０上に位置決めされる。
【００２５】
そして、例えばコール機器ユニット１２の保守点検等を行う場合には、先ず、上記ロック機構（図示せず）を操作してロックを解除し、図６に示すようにコール機器ユニット１２を取付け具１０から離間する方向に移動付勢する。すると、コール機器ユニット１２は、その台座１４の案内部１４３に収容された軸部１３の第２の軸１３２が第１の位置から第２の位置に移動案内され、該第２の位置において、台座１４の弾性軸支部１４４に回動自在に軸支されて、取付け具１０から略垂直方向に略平行に移動されて離間される（図７参照）。この第２の位置において、コール機器ユニット１２は、図８に示すように開方向に回動付勢されると、取付け具１０に支持された状態で、軸部１３に対して回動されて、その裏面からの保守点検が可能に開かれる。
【００２６】
なお、上記コール機器ユニット１２は、保守点検等の際に取付け具１０より離脱させる必要が発生した場合には、例えば取付け具１０に対して保守点検可能に回動させた状態において、台座１４の弾性係止爪部１４２を弾性変形させて固定部材１５の第２の挿入溝部１５２の係合孔１４３から離脱させて、台座１４の挿入部１４１ととともに、固定部材１５の第１及び第２の挿入溝部１５１，１５２から抜き出す。これにより、コール機器ユニット１２は、その台座１４が取付け具１０の固定部材１５から離脱され、取付け具１０から分離可能となる。
【００２７】
また、上記コール機器ユニット１２が取付け具１０に対して保守点検が可能に回動された状態から再び、取付け具１０上に取付け配置する場合には、先ず、第２の位置において、コール機器ユニット１２を反転させて取付け具１０に対して略平行に所定の間隔離間された状態に対設させる（図７参照）。
【００２８】
この状態で、コール機器ユニット１２は、その台座１４の案内部１４３の第２の位置にある軸部１３の第２の軸１３２を、図６に示すように該案内部１４３に沿って第１の位置に移動させる。すると、コール機器ユニット１２は、取付け具１０に対向した状態で、略垂直状に該取付け具１０上に移動され（図１参照）、ここで、上記ロック機構（図示せず）が操作されて取付け具１０に取付け配置される。
【００２９】
このように、上記ナースコール装置は、第１及び第２の軸１３１，１３２が略平行に配された軸部１３の第１の軸１３１を取付け具１０に回動自在に配し、この取付け具１０上に取付け配置されるコール機器ユニット１２に、該コール機器ユニット１２を取付け具１０上に配する第１の位置、及び該第１の位置から略垂直方向に略平行に移動されて取付け具１０から略平行に離間された回動可能な第２の位置間に移動案内自在に支持する案内部１４３を設けられた台座１４を配し、この台座１４の案内部１４３に対して上記軸部１３の第２の軸１３２を移動案内自在に組付けるように構成した。
【００３０】
これによれば、コール機器ユニット１２は、軸部１３の第２の軸１３２が台座１４の案内部１４３の第１の位置に移動案内されると、取付け具１０上に配され、第１の位置から第２の位置に移動案内されると、取付け具１０に対して略垂直方向に略平行に移動されて迫り出る如く離間され、この第２の位置において、第２の軸１３２回りに回動されると、取付け具１０上よりはみ出すことなく回動式に裏面の保守点検が可能に開かれる。
【００３１】
これにより、複数のコール機器ユニット１２を隙間無く接近配置したうえで、各コール機器ユニット１２を、取付け具１０に介して回動式に組付け配置することが可能となり、小さな設置スペースを実現したうえで、その保守点検等の作業の簡便化を図ることが可能となる。具体的には、コール機器ユニット１２を取付け具１０に取り付けた状態で、コール機器ユニット１２を、取付け具１０上より、一旦、略平行に引き出し、その後、取付け具に対して回動させ、この回動状態において、直接的に各種の作業を行うことが可能となるため、その作業性の向上が図れる。
【００３２】
なお、上記実施の形態では、軸部１３の第１の軸１３１を、第２の軸１３２の両端に略Ｌ字状にそれぞれ折曲げ形成した軸分離構造として、第２の軸１３２と略平行に配するように形成した軸部を用いて構成した場合で説明したが、これに限ることなく、その他、第１の軸１３１を第２の軸１３２に対して略平行な直線状に配するように構成することも可能である。
【００３３】
また、上記実施の形態では、台座１４をコール機器ユニット１２に固定部材１５を用いて取付配置するように構成した場合で説明したが、これに限ることなく、例えばコール機器ユニット１２に直接的に台座取付け用固定部を設けて、この台座取付け用固定部に対して台座１４を取付け配置するように構成することも可能である。
【００３４】
さらに、上記実施の形態では、軸部１３の第１の軸１３１を取付け具１０に配して、台座１４をコール機器ユニット１２に配するように構成したが、これに限ることなく、軸部１３の第１の軸１３１をコール機器ユニット１２に配し、台座１４を取付け具１０に配するように構成することも可能で、略同様の効果を期待することができる。
【００３５】
よって、この発明は、上記実施の形態に限ることなく、その他、実施段階ではその要旨を逸脱しない範囲で種々の変形を実施し得ることが可能である。さらに、上記実施形態には、種々の段階の発明が含まれており、開示される複数の構成要件における適宜な組合せにより種々の発明が抽出され得る。
【００３６】
例えば実施形態に示される全構成要件から幾つかの構成要件が削除されても、発明が解決しようとする課題の欄で述べた課題が解決でき、発明の効果で述べられている効果が得られる場合には、この構成要件が削除された構成が発明として抽出され得る。
【００３７】
【発明の効果】
以上詳述したように、この発明によれば、最小限の設置スペースを実現したうえで、簡便にして容易な保守点検作業を実現し得るようにしたナースコール装置を提供することができる。
【図面の簡単な説明】
【図１】この発明の一実施の形態に係るナースコール装置の概略構成を示した断面図である。
【図２】図１の軸部及び台座の組付け状態を示した斜視図である。
【図３】図１の軸部を取り出して示した斜視図である。
【図４】図１の台座を取り出して示した平面図である。
【図５】図４を側面から見た状態を示した平面図である。
【図６】図１のコール機器ユニットの略平行移動途中を示した断面図である。
【図７】図１のコール機器ユニットの略平行移動の完了状態を示した断面図である。
【図８】図７の略平行移動の完了状態からコール機器ユニットを、回動式に開いた状態を示した断面図である。
【符号の説明】
１０  …  取付け具
１０１  …  軸支部
１１  …  設置部
１２  …  コール機器ユニット
１３  …  軸部
１３１  …  第１の軸
１３２  …  第２の軸
１４  …  台座
１４１  …  挿入部
１４２  …  弾性係止爪部
１４３  …  案内部
１４４  …  弾性軸支部
１５  …  固定部材
１５１  …  第１の挿入溝部
１５２  …  第２の挿入溝部
１５３  …  係合孔
【図１】
2004267443.tif 000003
【図２】
2004267443.tif 000004
【図３】
2004267443.tif 000005
【図４】
2004267443.tif 000006
【図５】
2004267443.tif 000007
【図６】
2004267443.tif 000008
【図７】
2004267443.tif 000009
【図８】
2004267443.tif 000010